(57)【要約】【課題】枠体の芯材が配置されない部分における防火性能を向上させた建具を提供すること。【解決手段】内部が中空で樹脂製の枠体１０を有する建具１であって、枠体１０のうち上下方向に延びる縦枠１３、１４、１６と、枠体１０のうち左右方向に延び、縦枠に接合される横枠１１、１２と、縦枠内に配置され、縦枠の長手方向に沿うとともに、縦枠と接合される横枠の内部まで延出しない長さの金属製の縦芯材１３ｄ、１４ｄ、１６ｅと、横枠内に配置され、横枠の長手方向に沿うとともに、横枠と接合される縦枠内の内部まで延出しない長さの金属製の横芯材１１ｄ、１２ｄと、縦枠及び横枠の端部同士を接合するコーナー部１０１に沿って配置され、縦芯材１３ｄ、１４ｄ、１６ｅ及び横芯材１１ｄ、１２ｄを連結する金属製のコーナー金具４６と、コーナー金具４６の縦枠側の面及び横枠側の面の両方に設けられる加熱発泡材３８と、を有する建具１である。【選択図】図６
2019065560.tif 000002
【特許請求の範囲】
【請求項１】
内部が中空で樹脂製の枠体を有する建具であって、
前記枠体のうち上下方向に延びる縦枠と
前記枠体のうち左右方向に延び、前記縦枠に接合される横枠と、
前記縦枠内に配置され、該縦枠の長手方向に沿うとともに、前記縦枠と接合される前記横枠の内部まで延出しない長さの金属製の縦芯材と、
前記横枠内に配置され、該横枠の長手方向に沿うとともに、前記横枠と接合される前記縦枠内の内部まで延出しない長さの金属製の横芯材と、
前記縦枠及び前記横枠の端部同士を接合するコーナー部に沿って配置され、前記縦芯材及び前記横芯材を連結する金属製のコーナー金具と、
前記コーナー金具の縦枠側の面及び前記横枠側の面の両方に設けられる加熱発泡材と、を有する建具。
【請求項２】
前記コーナー部は、前記縦枠の端面及び前記横枠の端面が長手方向に対して傾斜し、傾斜した前記縦枠の端面及び前記横枠の端面が突き合わされて接合される部分を含み、
前記縦芯材及び横芯材は、その端面が長手方向に対して略直交しており、前記コーナー部には、前記縦芯材の端部及び前記横芯材の端部が配置されない隙間が形成される、請求項１に記載の建具。
【請求項３】
前記加熱発泡材は、前記コーナー金具の前記縦枠側の面から前記横枠側の面まで連続する一枚のシート形状を有する請求項１又は２に記載の建具。
【請求項４】
前記縦枠は、方立を含み、
前記コーナー金具は、前記横枠及び前記方立が接合される前記コーナー部に配置され、
前記加熱発泡材は、前記コーナー金具の前記横枠側の面及び前記方立の見付方向における一方側の第一面に設けられる請求項１〜３のいずれか１項に記載の建具。
【請求項５】
前記加熱発泡材は、前記コーナー金具の前記横枠側の面及び前記方立の見付方向における他方側の第二面に設けられる、請求項４に記載の建具。
【発明の詳細な説明】
【技術分野】
【０００１】
本発明は、樹脂製の枠体及び金属製の芯材を備える建具に関する。
【背景技術】
【０００２】
従来、枠体等を樹脂で構成し、内部に金属製の芯材を配置して防火性を向上させた樹脂製の建具が知られている。枠体の縦枠及び横枠の端面は、長手方向に対して傾斜するように形成され、傾斜した端部を突き合わせることで枠体のコーナー部が形成される。このような建具において、枠体の内部で縦枠の縦芯材と横枠の横芯材との端部を同様に傾斜させて突合せ、金属製のコーナー金具にて連結することが提案されている（例えば、特許文献１参照）。
【先行技術文献】
【特許文献】
【０００３】
【特許文献１】特開２０１６−１０８９０８号公報
【発明の概要】
【発明が解決しようとする課題】
【０００４】
しかし、例えば枠体が方立で区切られた建具等では、内部の金属製の縦芯材及び横芯材を連結していても、火災等で建具が高熱に曝された場合に、縦芯材と横芯材の間に位置する樹脂製の方立が溶融し、室内外方向に火炎や高温空気が貫通してしまう懸念があった。
【０００５】
また、さらに、芯材は金属製であるため、縦芯材及び横芯材の端面を傾斜させて突き合わせるように、端部の形状を加工することは容易でなかった。しかし、縦芯材及び横芯材の端部を突き合わせるように加工せず、単に延出させると、コーナー部に芯材を有さない矩形のスペースが生じる。このため、火災等で樹脂製の建具が高熱に曝された場合に、樹脂が溶融することで芯材が配置されないコーナー部が溶融し、室内外方向に火炎や高温空気が貫通してしまう懸念があった。
【０００６】
このように、枠体の芯材が配置されない部分における防火性能を向上させた建具が望まれている。
【課題を解決するための手段】
【０００７】
本発明は、内部が中空で樹脂製の枠体（例えば、後述の枠体１０）を有する建具（例えば、後述の建具１）であって、前記枠体のうち上下方向に延びる縦枠（例えば、後述の障子側縦枠１３、ＦＩＸ側縦枠１４、方立１６）と、前記枠体のうち左右方向に延び、前記縦枠に接合される横枠（例えば、後述の上枠１１、下枠１２）と、前記縦枠内に配置され、該縦枠の長手方向に沿うとともに、前記縦枠と接合される前記横枠の内部まで延出しない長さの金属製の縦芯材（例えば、後述の縦枠芯材１３ｄ、縦枠芯材１４ｄ、方立芯材１６ｅ）と、前記横枠内に配置され、該横枠の長手方向に沿うとともに、前記横枠と接合される前記縦枠内の内部まで延出しない長さの金属製の前記横芯材（例えば、後述の上枠芯材１１ｄ、下枠芯材１２ｄ）と、前記縦枠及び前記横枠の端部同士を接合するコーナー部（例えば、後述のコーナー部１０１）に沿って配置され、前記縦芯材及び前記横芯材を連結する金属製のコーナー金具（例えば、後述の枠側コーナー金具４６）と、前記コーナー金具の縦枠側の面及び前記横枠側の面の両方に設けられる加熱発泡材（例えば、後述の加熱発泡材３８）と、を有する建具に関する。
【０００８】
また、前記コーナー部は、前記縦枠の端面及び前記横枠の端面が長手方向に対して傾斜し、傾斜した前記縦枠の端面及び前記横枠の端面が突き合わされて接合される部分を含み、前記縦芯材及び横芯材は、その端面が長手方向に対して略直交しており、前記コーナー部には、前記縦芯材の端部及び前記横芯材の端部が配置されない隙間（例えば、後述の隙間Ｓ）が形成されることが好ましい。
【０００９】
前記加熱発泡材は、前記コーナー金具の前記縦枠側の面から前記横枠側の面まで連続する一枚のシート形状を有することが好ましい。
【００１０】
前記縦枠は、方立（例えば、後述の方立１６）を含み、前記コーナー金具は、前記横枠及び前記方立が接合される前記コーナー部に配置され、前記加熱発泡材は、前記コーナー金具の前記横枠側の面及び前記方立の見付方向における一方側の第一面（例えば、後述の第一面１６１）に設けられることが好ましい。
【００１１】
前記加熱発泡材は、前記コーナー金具の前記横枠側の面及び前記方立の見付方向における他方側の第二面（例えば、後述の第二面１６２）に設けられることが好ましい。
【発明の効果】
【００１２】
本発明によれば、枠体の芯材が配置されない部分における防火性能を向上させた建具を提供することができる。
【図面の簡単な説明】
【００１３】
【図１】本発明の一実施形態に係る建具を示す正面図である。
【図２】本実施形態の建具の縦断面図である。
【図３】本実施形態の建具の横断面図である。
【図４】本実施形態の建具が備える戸先側縦框の内面側を見付方向の吊元側から見た図である。
【図５】本実施形態の建具におけるコーナー部の斜視図である。
【図６】本実施形態の建具における方立及び上枠の部分正面図である。
【図７】本実施形態の建具の部分拡大横断面図である。
【発明を実施するための形態】
【００１４】
以下、本発明の好ましい実施形態について、図面を参照しながら説明する。なお、本明細書において、「見付方向」とは、建物に形成された開口部に納められた建具（サッシ）の枠体に収められるガラスや障子の面内方向を意味し、「見込方向」とは、室内外方向（すなわち、奥行き方向）を意味する。
【００１５】
図１は、本発明の一実施形態に係る建具１を示す正面図である。図２は、本実施形態の建具１の横断面図である。まず、建具１の全体構成について説明する。本実施形態の建具１は、枠体１０と、枠体の内側に開閉可能に設けられる障子２０及びＦＩＸ窓１２０と、を備える防火仕様のサッシである。
【００１６】
枠体１０は、横枠としての上枠１１及び下枠１２、並びに縦枠としての障子側縦枠１３、ＦＩＸ側縦枠１４及び方立１６を含んで構成される。上枠１１、下枠１２、障子側縦枠１３、ＦＩＸ側縦枠１４及び方立１６は、何れも樹脂製であり、溶着によって接合される。枠体１０の内側で方立１６によって障子２０とＦＩＸ窓１２０が隔てられている。
【００１７】
障子側縦枠１３の内部には、見込方向で区画された複数の中空部１３ａ，１３ｂ，１３ｃが形成され、中空部１３ｂには金属製の縦芯材としての縦枠芯材１３ｄが配置される。また、障子側縦枠１３の室外側には見付方向戸先側に延びる延出部１３ｅが形成され、該延出部１３ｅにもクッション材１３ｆが配置される。ＦＩＸ側縦枠１４の内部にも、見込方向で区画された複数の中空部１４ａ，１４ｂ，１４ｃが形成され、中空部１４ｂには金属製の縦枠芯材１４ｄが配置される。ＦＩＸ側縦枠１４の室外側にも見付方向吊元側に延びる延出部１４ｅが形成される。該延出部１４ｅには、ガラス止め部材１２８が配置される。
【００１８】
方立１６の内部には、複数の中空部１６ａ，１６ｂ，１６ｃ，１６ｄが形成され、中央の中空部１６ａには金属製の方立芯材１６ｅが配置される。また、方立１６の室外側端部のＦＩＸ窓１２０側には、樹脂製の押し縁部材１２７を嵌合する嵌合部１６ｆが形成され、室内側端部のＦＩＸ窓１２０側にはガラス止め部材１２８を嵌合する嵌合部１６ｇが形成される。また、方立１６の室内側端部の障子２０側には、戸先側縦框３４の室内側の見付に対向するクッション材１６ｈが嵌合固定される。
【００１９】
図３は、本実施形態の建具１の障子２０が配置される部分の縦断面図である。図４は、本実施形態の建具のＦＩＸ窓１２０が配置される部分の縦断面図である。図３及び図４に示すように、上枠１１の内部は、見込方向で複数の空間に区画されており、室外側から室内側の順に中空部１１ａ，１１ｂ，１１ｃが形成される。中空部１１ｃには金属製の横芯材としての上枠芯材１１ｄが配置される。また、上枠１１の室内側下部には、下方に延びる延出部１１ｅが形成され、延出部１１ｅの室外側の見付面にはクッション材１１ｆが配置される。なお、上枠芯材１１ｄは、方立１６の位置で分割されており、障子２０側とＦＩＸ窓１２０側で独立した別個の部材となっている。
【００２０】
下枠１２の内部にも、見込方向に複数の中空部１２ａ，１２ｂ，１２ｃが形成され、中空部１２ｂには金属製の下枠芯材１２ｄが配置される。また、下枠１２の室内側上部には、上方に延びる延出部１２ｅが形成され、該延出部１２ｅにもクッション材１２ｆが配置される。
【００２１】
上枠１１、下枠１２、障子側縦枠１３、ＦＩＸ側縦枠１４及び方立１６が連結される部分の内側の隅（内隅）には、コーナー金具としての枠側コーナー金具４６がそれぞれ配置される。枠側コーナー金具４６自体は、枠体１０の見込面に配置されるが、ネジ等の締結部材を介して枠体１０の内側の芯材（上枠芯材１１ｄ、下枠芯材１２ｄ、縦枠芯材１３ｄ、縦枠芯材１４ｄ及び方立芯材１６ｅ）に締結固定される。
【００２２】
次に、障子２０について説明する。障子２０は、複層ガラス２５と、複層ガラス２５を囲うように構成される框体３０と、を含むように構成される。
【００２３】
複層ガラス２５は、室外側に配置される室外側ガラス２５ａと、室外側ガラス２５ａに対して隙間をあけて室内側に配置される室内側ガラス２５ｂと、を備える。室外側ガラス２５ａと室内側ガラス２５ｂの間にはスペーサ２６等が配置される。
【００２４】
室外側ガラス２５ａは、室内側ガラス２５ｂよりも耐熱性が高いものが用いられる。本実施形態における耐熱性が高いとは、高温環境下において溶融し難い材質で構成される耐熱強化ガラスだけではなく、構造によってその形状を留める工夫がなされた網ガラス等のようなものも含むものとする。例えば、所定の基準に従って所定時間、高温環境にさらされたときに、室外側ガラス２５ａが室内側ガラス２５ｂよりもその形状を留めることができるような場合である。本実施形態では、室外側ガラス２５ａには網入ガラスが用いられ、室内側ガラスには内面に金属膜が設けられた高断熱ガラス、いわゆるＬｏｗ-Ｅ（Ｌｏｗ Ｅｍｉｓｓｉｖｉｔｙ）ガラスが用いられている。
【００２５】
框体３０は、上框３１、下框３２、戸先側縦框３４及び吊元側縦框３３が矩形に枠組みされて構成される。上框３１、下框３２、戸先側縦框３４及び吊元側縦框３３は、何れも樹脂製であり、溶着によって接合される。
【００２６】
図１及び図３に示すように、上框３１の内部には、室外側から室内側に向かって複数の中空部３１ａ，３１ｂ，３１ｃが形成される。最も室内側に位置する中空部３１ｃには、金属で形成される室内側上框芯材３１ｄが配置される。中空部３１ｂにも、金属製の室外側上框芯材３１ｅが配置される。室内側上框芯材３１ｄ及び室外側上框芯材３１ｅは、何れも上框３１の長手方向に沿って延びている。上框３１の室外側上部には、上枠１１の一部と見込方向で対向する延出部３１ｆが形成される。延出部３１ｆの室内側にはクッション材３１ｇが設けられる。また、延出部３１ｆの下方には樹脂製の押し縁部材２７を嵌合固定する嵌合固定部３１ｈが形成される。
【００２７】
下框３２の内部にも、室外側から室内側に向かって複数の中空部３２ａ，３２ｂ，３２ｃが形成される。最も室内側に位置する中空部３２ｃには、金属で形成される室内側下框芯材３２ｄが配置される。中空部３２ｂにも、金属製の室外側下框芯材３２ｅが配置される。室内側下框芯材３２ｄ及び室外側下框芯材３２ｅは、何れも下框３２の長手方向に沿って延びている。下框３２の室外側下部には、下枠１２の一部と見込方向で対向する延出部３２ｆが形成される。延出部３２ｆの室内側にはクッション材３２ｇが設けられる。また、延出部３２ｆの下方には樹脂製の押し縁部材２７を嵌合固定する嵌合固定部３２ｈが形成される。
【００２８】
図１に示すように、吊元側縦框３３の内部には、室外側から室内側に向かって複数の中空部３３ａ，３３ｂ，３３ｃが形成される。最も室内側に位置する中空部３３ｃには、金属で形成される室内側縦框芯材３３ｄが配置される。中空部３３ｂにも、金属製の室外側縦框芯材３３ｅが配置される。室内側縦框芯材３３ｄ及び室外側縦框芯材３３ｅは、何れも戸先側縦框３４の長手方向に沿って延びている。吊元側縦框３３の室外側には、障子側縦枠１３の一部と見込方向で対向する延出部３３ｆが形成される。延出部３３ｆの室内側にはクッション材３３ｇが設けられる。また、延出部３３ｆの戸先側には樹脂製の押し縁部材２７を嵌合固定する嵌合固定部３３ｈが形成される。
【００２９】
戸先側縦框３４の内部には、室外側から室内側に向かって複数の中空部３４ａ，３４ｂ，３４ｃが形成される。最も室内側に位置する中空部３４ｃには、金属で形成される室内側縦框芯材３４ｄが配置される。中空部３４ｂにも、金属製の室外側縦框芯材３４ｅが配置される。室内側縦框芯材３４ｄ及び室外側縦框芯材３４ｅは、何れも戸先側縦框３４の長手方向に沿って延びている。戸先側縦框３４の室外側には、方立１６の一部と見込方向で対向する延出部３４ｆが形成される。延出部３４ｆの室内側にはクッション材３４ｇが設けられる。また、延出部３４ｆの吊元側には樹脂製の押し縁部材２７を嵌合固定する嵌合固定部３４ｈが形成される。
【００３０】
図１及び図３に示すように、本実施形態では、框体３０内部の室外側に位置する芯材（室外側上框芯材３１ｅ、室外側下框芯材３２ｅ、室外側縦框芯材３３ｅ及び室外側縦框芯材３４ｅ）と、室内側に位置する芯材（室内側上框芯材３１ｄ、室内側下框芯材３２ｄ、室内側縦框芯材３３ｄ及び室内側縦框芯材３４ｄ）と、が框芯材連結金具６７によって連結されている。框芯材連結金具６７は、框体３０の外側面の形状に応じて段差状に形成されるプレート部材である。框芯材連結金具６７は、框体３０（上框３１、下框３２、戸先側縦框３４及び吊元側縦框３３）の外部に配置され、框体３０の内部で異なる中空部に配置される室外側の芯材と室内側の芯材にネジ等の締結部材によってそれぞれ締結される。これによって見込方向に複数の中空部が形成される樹脂製の框体３０が火災発生時の高温環境下で室外側と室内側に分離する事態が確実に防止されている。
【００３１】
図３に示すように、障子２０は、上枠１１に連結されるとともに上框３１（框体３０）に連結される上アーム部材６１及び下枠１２に連結されるとともに下框３２（框体３０）に連結される下アーム部材６２によって開閉可能に枠体１０の内側に支持される。
【００３２】
図１に示すように、障子２０の戸先側には、ハンドル５５に連動するスライドロック機構５０が配置される。スライドロック機構５０は、ハンドル５５操作に連動して上下方向に移動するスライドプレート５１と、スライドプレート５１の戸先側の見込面に形成されるロックピン５２と、を備える。方立１６の内側（障子２０側）の見込面には、ロックピン５２が嵌合するロックピン受け金具１５が固定される。本実施形態では、ロックピン５２は、上下方向で複数個所に形成されており、ロックピン受け金具１５もロックピン５２の数に応じて上下方向に間隔をあけて複数固定される。また、スライドプレート５１は、吊元側縦框３３の戸先側にスライド嵌合された状態でハンドル５５に連結されている。
【００３３】
框体３０（上框３１、下框３２、戸先側縦框３４及び吊元側縦框３３）の見込面にはガラス外れ止め部材４０が配置される。ガラス外れ止め部材４０は、面外方向の複層ガラス２５の移動を規制するものである。框体３０の見込面に、間隔をあけて複数配置される。
【００３４】
次に、ＦＩＸ窓１２０について説明する。ＦＩＸ窓１２０は、枠体１０の内側で方立１６を挟んで障子２０の反対側に位置する。上枠１１、下枠１２、ＦＩＸ側縦枠１４及び方立１６がＦＩＸ窓１２０の框体（枠体）として機能する。
【００３５】
図４に示すように、ＦＩＸ窓１２０は、室外側ガラス１２５ａと室内側ガラス１２５ｂを備える複層ガラス１２５を備える。室外側ガラス２５ａと室内側ガラス２５ｂの間にはスペーサ１２６等が配置される。室外側ガラス１２５ａは室内側ガラス１２５ｂよりも相対的に耐熱性の高いものが用いられる。本実施形態では、障子２０の複層ガラス２５と同様に室外側ガラス１２５ａには網入ガラスが用いられ、室内側ガラス１２５ｂにはＬｏｗ-Ｅガラスが用いられる。
【００３６】
上枠１１、下枠１２、ＦＩＸ側縦枠１４及び方立１６の室外側の見付面には、複層ガラス１２５を押さえる樹脂製の押し縁部材１２７が嵌合固定される。また、上枠１１、下枠１２、ＦＩＸ側縦枠１４及び方立１６の室内側の見付面には、ガラス止め部材１２８が配置される。ガラス止め部材１２８は、見込方向で複層ガラス１２５を挟んで押し縁部材１２７の反対側に位置する。
【００３７】
上枠１１、下枠１２、ＦＩＸ側縦枠１４及び方立１６における複層ガラス１２５の端面に対向する見込面のそれぞれにも、ガラス外れ止め部材１４０が配置される。ガラス外れ止め部材１４０は、面外方向の複層ガラス１２５の移動を規制するものである。上枠１１、下枠１２、ＦＩＸ側縦枠１４及び方立１６の見込面に、間隔をあけて複数配置される。これらのガラス外れ止め部材１４０は、枠体の内側に配置される金属製の芯材（上枠芯材１１ｄ、下枠芯材１２ｄ、縦枠芯材１４ｄ及び方立芯材１６ｅ）に締結部材（図示省略）を介して締結固定される。また、ＦＩＸ側縦枠１４及び方立１６の見込面のそれぞれにはセッティングブロック９９（図３参照）が配置される。
【００３８】
図５〜７を参照して、本実施形態のコーナー部１０１の構成について説明する。図５〜７では、説明の便宜のため、障子２０等の構成を省略して表している。
コーナー部１０１は、上下方向に延びる縦枠（障子側縦枠１３、ＦＩＸ側縦枠１４及び方立１６）及び左右方向に延びて縦枠に接合される横枠（上枠１１及び下枠１２）の端部同士を接合する角及びその周辺部である。
【００３９】
図５は、コーナー部１０１の斜視図である。図５に示すように、コーナー部１０１には、上記説明した金属製の枠側コーナー金具４６が取り付けられる。また、図５では、枠側コーナー金具４６の裏、すなわち方立１６及び下枠１２に接する側に、加熱発泡材３８がさらに設けられた状態が示されている。以下、縦枠としての方立１６と、横枠としての下枠１２のコーナー部１０１に設けられたコーナー金具４６を例に説明する。
【００４０】
図６は建具における方立１６及び下枠１２の部分正面図である。
図６に示すように、方立１６の下端部はＶ字型に形成され、頂部が方立１６の幅方向の中央における下方に位置している。方立１６の端面は、長手方向に対して傾斜するように形成されている。
また、下枠１２の端面は、長手方向に対して傾斜する部分を含んでいる。下枠１２は、方立１６の下端部のＶ字型の形状に適合するＶ字型の切り欠きを有して形成されている。
コーナー部１０１は、方立１６の下端部のＶ字型を構成している端面が、下枠１２のＶ字型の端面と突き合わされて接合される部分を含んでいる。
【００４１】
また、図６に示すように、方立芯材１６ｅは、方立１６の長手方向に沿って設けられ、方立芯材１６ｅの端面は、長手方向に対して略直交している。方立芯材１６ｅは、方立１６と接合される下枠１２の内部まで延出しない長さを有する。
同様に、下枠芯材１２ｄは、下枠１２の長手方向に沿って設けられ、下枠芯材１２ｄの端面は、長手方向に対して略直交している。下枠芯材１２ｄは、方立１６のＶ字型の下端部まで延出していない。すなわち、下枠芯材１２ｄは、下枠１２と接合される方立１６の内部まで延出しない長さを有する。
【００４２】
ここで、方立１６又は下枠１２の内部まで延出しない長さとは、方立芯材１６ｅは、下枠１２内で下枠芯材１２ｄの仮想延長線まで到達するように下枠１２の内部に入りこまないことを意味する。また、下枠芯材１２ｄは、方立１６内で方立芯材１６ｅの仮想延長線まで到達するように方立１６の内部に入りこまないことを意味する。
【００４３】
下枠芯材１２ｄ及び方立芯材１６ｅは、枠体１０のコーナー部１０１の内では、直接接合されていない。下枠芯材１２ｄ及び方立芯材１６ｅは、コーナー部１０１に沿って配置される枠側コーナー金具４６によって連結されている。詳細には、枠側コーナー金具４６は、側面視略Ｌ字型の形状をしており、方立１６及び下枠１２の内側面にネジにより固定される。枠側コーナー金具４６は、樹脂製の方立１６及び下枠１２を介して、Ｌ字の一方の辺が内部の方立芯材１６ｅに、他方の辺が下枠芯材１２ｄに接合されることで、下枠芯材１２ｄ及び方立芯材１６ｅを連結している。このため、コーナー部１０１の内部には、下枠芯材１２ｄの端部及び方立芯材１６ｅの端部が配置されない隙間Ｓが形成されている。
【００４４】
なお、図示を省略しているが、方立１６は、上端部において、頂部が上方に突出するように逆Ｖ字型に形成されており、方立１６と上枠１１とは、上記説明した下端部側と同様の構成を有する。
【００４５】
本実施形態の建具１では、枠側コーナー金具４６にさらに加熱発泡材３８が設けられる。加熱発泡材３８は、高温下で膨張し、熱により変形した樹脂の隙間を埋めるように設けられる。加熱発泡材３８は、枠側コーナー金具４６の方立１６側の面と、下枠１２側の面との両方に設けられる。加熱発泡材３８は、方立１６側の面から下枠１２側の面まで連続した一枚のシート形状を有する。
【００４６】
図７は建具１の部分拡大横断面図である。図７に示すように、方立１６は、横断面視で略Ｔ字状の形状を有し、Ｔ字の縦軸を構成する中央部１６３と、Ｔ字の横軸を構成し、室内側に面している表面部１６４と、を有している。
【００４７】
加熱発泡材３８は、方立１６の中央部１６３で、枠側コーナー金具４６の見付方向の一方側の第一面１６１及び下枠１２の内面に沿って設けられる。また、加熱発泡材３８は、方立１６における中央部１６３で、枠側コーナー金具４６の見付方向の他方側の第二面１６２及び下枠１２の内面に沿って設けられる。
図７に示すように、枠側コーナー金具４６及び加熱発泡材３８は、中央部１６３と表面部１６４が交差する隅に納まるように配置されている。
【００４８】
なお、方立１６の上枠１１側においても同様の構成である。また、障子側縦枠１３と上枠１１及び下枠１２、ＦＩＸ側縦枠１４と上枠１１及び下枠１２のコーナー部１０１にも、コーナー金具４６及び加熱発泡材３８が同様に設けられている。
【００４９】
建具１が高熱に曝されると、樹脂で形成されている枠体１０が変形又は溶融する。このとき、図７に示すように、方立１６内の金属製の方立芯材１６ｅと、上枠１１又は下枠１２内の金属製の上枠芯材１１ｄ、下枠芯材１２ｄとは、金属製のコーナー金具４６により連結されている。しかし、金属製の方立芯材１６ｅと、上枠芯材１１ｄ及び下枠芯材１２ｄの方立１６側の面との間には、方立１６の中央部１６３を構成する樹脂の側壁が位置しており、この部分は溶融する。このため、方立芯材１６ｅと、上枠芯材１１ｄ及び下枠芯材１２ｄの方立１６側の面との間で、火炎や高温空気が見込方向に貫通し、室内に入りこむ余地がある。
【００５０】
枠側コーナー金具４６は、枠体１０の各コーナー部１０１に配置されているが、建物の壁面等に隣接する枠体１０の上枠１１、下枠１２、障子側縦枠１３、ＦＩＸ側縦枠１４と比べて、方立１６には、壁面等の堅固な構造物が乏しいため、方立１６の左右方向両側から熱を直接的に受け、特に溶融しやすい。
【００５１】
また、各コーナー部１０１では、上述の通り、上枠芯材１１ｄ、下枠芯材１２ｄ、縦枠芯材１３ｄ及び縦枠芯材１４ｄは、端部が長手方向に対して略直交するように四角い端部を有して構成されている。上枠芯材１１ｄ、下枠芯材１２ｄ、縦枠芯材１３ｄ及び縦枠芯材１４ｄは、枠側コーナー金具４６によって連結されているが、コーナー部１０１の内部で縦枠芯材１３ｄ及び縦枠芯材１４ｄの端部及び上枠芯材１１ｄ、下枠芯材１２ｄの端部が配置されない隙間Ｓが形成される。このため、隙間Ｓでは、樹脂が溶融することで火炎又は高温空気が貫通しやすい。
【００５２】
ここで、枠側コーナー金具４６のＬ字型の両辺に、横枠（上枠１１、下枠１２）側の側面から方立１６側の側面に沿って加熱発泡材３８が設けられているので、所定の温度になると加熱発泡材３８が膨張する。加熱発泡材３８は、枠側コーナー金具４６の横枠（上枠１１、下枠１２）側の側面から、横芯材（上枠芯材１１ｄ、下枠芯材１２ｄ）に向かって膨張する。また、枠側コーナー金具４６の方立１６側の側面から、方立１６の方立芯材１６ｅに向かって膨張する。
【００５３】
また、上述の通り、加熱発泡材３８は連続した一枚のシート形状であり、コーナー金具４６の屈曲する角部にも設けられている。この加熱発泡材３８が発泡すると、隙間Ｓの方向へも膨張する。
【００５４】
以上説明した上記実施形態の構成によれば、以下のような効果を奏する。
本実施形態では、内部が中空で樹脂製の枠体１０を有する建具１を、枠体１０のうち上下方向に延びる縦枠（障子側縦枠１３、ＦＩＸ側縦枠１４、方立１６）と、枠体１０のうち左右方向に延び、縦枠（障子側縦枠１３、ＦＩＸ側縦枠１４、方立１６）に接合される横枠（上枠１１、下枠１２）と、縦枠内に配置され、該縦枠（障子側縦枠１３、ＦＩＸ側縦枠１４、方立１６）の長手方向に沿うとともに、縦枠（障子側縦枠１３、ＦＩＸ側縦枠１４、方立１６）と接合される横枠（上枠１１、下枠１２）の内部まで延出しない長さの金属製の縦芯材（縦枠芯材１３ｄ、縦枠芯材１４ｄ、方立芯材１６ｅ）と、横枠内に配置され、該横枠（上枠１１、下枠１２）の長手方向に沿うとともに、横枠（上枠１１、下枠１２）と接合される縦枠内の内部まで延出しない長さの金属製の横芯材（上枠芯材１１ｄ、下枠芯材１２ｄ）と、縦枠（障子側縦枠１３、ＦＩＸ側縦枠１４、方立１６）及び横枠（上枠１１、下枠１２）の端部同士を接合するコーナー部１０１に沿って配置され、縦芯材（縦枠芯材１３ｄ、縦枠芯材１４ｄ、方立芯材１６ｅ）及び横芯材（上枠芯材１１ｄ、下枠芯材１２ｄ）を連結する金属製の枠側コーナー金具４６と、枠側コーナー金具４６の縦枠側の面及び横枠側の面の両方に設けられる加熱発泡材３８と、を含んで構成した。
【００５５】
枠側コーナー金具４６の縦枠側及び横枠側の両側に加熱発泡材３８を設けることで、建具１が高熱に曝された場合に、枠側コーナー金具４６の縦枠側及び横枠側で加熱発泡材３８が膨張する。このため、枠体１０の樹脂の部分が高熱により溶けても、加熱発泡材３８が縦枠側の芯材及び横枠側の芯材の両方に向かって発泡する。すると、図７に示すように樹脂製の枠体１０によって分断されていた枠体１０の内部の縦芯材（縦枠芯材１３ｄ、縦枠芯材１４ｄ、方立芯材１６ｅ）と横芯材（上枠芯材１１ｄ、下枠芯材１２ｄ）との間が加熱発泡材３８により繋がり、金属製の芯材間の隙間が加熱発泡材３８により塞がれる。よって、枠体１０における芯材（縦枠芯材１３ｄ、縦枠芯材１４ｄ、方立芯材１６ｅ、上枠芯材１１ｄ、下枠芯材１２ｄ）が配置されない部分の防火性能が向上する。
【００５６】
また、本実施形態によれば、コーナー部１０１を、縦枠（障子側縦枠１３、ＦＩＸ側縦枠１４、方立１６）の端面及び横枠（上枠１１、下枠１２）の端面が長手方向に対して傾斜し、傾斜した縦枠（障子側縦枠１３、ＦＩＸ側縦枠１４、方立１６）の端面及び横枠（上枠１１、下枠１２）の端面が突き合わされて接合される部分を含んで構成した。また、縦芯材（縦枠芯材１３ｄ、縦枠芯材１４ｄ、方立芯材１６ｅ）及び横芯材（上枠芯材１１ｄ、下枠芯材１２ｄ）の端面を長手方向に対して略直交させ、コーナー部１０１で、縦芯材（縦枠芯材１３ｄ、縦枠芯材１４ｄ、方立芯材１６ｅ）の端部及び横芯材（上枠芯材１１ｄ、下枠芯材１２ｄ）の端部が配置されない隙間Ｓを形成させた。
【００５７】
縦枠（障子側縦枠１３、ＦＩＸ側縦枠１４、方立１６）及び横枠（上枠１１、下枠１２）の端面をいわゆる「留め」と呼ばれる小口を例えば４５度に傾斜させて突き合わせるような方法で接合し、芯材（上枠芯材１１ｄ、下枠芯材１２ｄ、縦枠芯材１３ｄ、縦枠芯材１４ｄ、方立芯材１６ｅ）の端面を「留め」にせず、芯材の長手方向に対して略直交するように形成した場合、コーナー部１０１の内部では、芯材の端部が配置されない隙間Ｓが形成される。芯材の端面が長手方向に直交するように形成することで、コーナー部１０１での芯材の加工が容易になり、作業性が向上する。一方、芯材を連結する加熱発泡材３８は、枠側コーナー金具４６の縦枠（障子側縦枠１３、ＦＩＸ側縦枠１４、方立１６）側の面及び横枠（上枠１１、下枠１２）側の面の両方に設けられている。加熱発泡材３８は高熱により膨張するので、加熱発泡材３８が発泡することで隙間Ｓを加熱発泡材３８が埋める。このため、作業性を向上させつつも、芯材間の隙間Ｓで火炎又は高温空気の貫通することを防止するか、貫通までの時間を遅延させることができる。
【００５８】
また、本実施形態によれば、加熱発泡材３８を、枠側コーナー金具４６の縦枠（障子側縦枠１３、ＦＩＸ側縦枠１４、方立１６）側の面から横枠（上枠１１、下枠１２）側の面まで連続する一枚のシート形状を含んで構成した。加熱発泡材３８が切れ目の無い連続的な一枚のシートで形成されることで、縦枠（障子側縦枠１３、ＦＩＸ側縦枠１４、方立１６）側と横枠（上枠１１、下枠１２）側の面を接続する角の部分、すなわち芯材の端部が配置されない部分でも確実に加熱発泡材３８が発泡して隙間Ｓを埋めるので、防火性能を向上させることができる。
【００５９】
また、本実施形態によれば、縦枠を、方立１６を含んで構成した。そして、枠側コーナー金具４６を、横枠（上枠１１、下枠１２）及び方立１６が接合されるコーナー部１０１に配置し、加熱発泡材３８を、枠側コーナー金具４６の横枠（上枠１１、下枠１２）側の面及び方立１６の見付方向における一方側の第一面１６１に設けた。縦枠のなかで、障子側縦枠１３やＦＩＸ側縦枠１４は、壁面等が隣接し、耐火性の構造物が周囲に設けられている場合があるが、方立１６は、枠体１０の見付方向の中間に配置され、方立１６の左右の側面には、方立１６を支持する他の耐火性の構成物が乏しい。しかし、枠側コーナー金具４６の横枠（上枠１１、下枠１２）側の面及び方立１６の見付方向における一方側の第一面１６１に設けることで、方立１６の周囲で火炎や高温空気が貫通する懸念が低減される。
【００６０】
また、本実施形態によれば、加熱発泡材３８を、枠側コーナー金具４６の横枠（上枠１１、下枠１２）側の面及び方立１６の見付方向における他方側の第二面１６２にも設けた。これにより、方立１６の左右方向の両側で方立１６の周囲で火炎や高温空気が貫通する懸念が低減される。
【００６１】
以上、本発明の好ましい実施形態について説明したが、本発明は、上述の実施形態に制限されるものではなく、適宜変更が可能である。
【００６２】
例えば、上記実施形態では、枠側コーナー金具４６を略Ｌ字状に構成し、枠側コーナー金具４６の横枠（上枠１１、下枠１２）及び縦枠（障子側縦枠１３、ＦＩＸ側縦枠１４、方立１６）側の面に設けているが、これに限られない。例えば、枠側コーナー金具の屈曲する角をＲ状にカーブさせて曲げてもよい。あるいは枠型コーナー金具を、横枠（上枠１１、下枠１２）に接する横枠側面と、縦枠（障子側縦枠１３、ＦＩＸ側縦枠１４、方立１６）に接する縦枠側面と、横枠側面及び縦枠側面を接続する接続面を設けて、二つの屈曲部により接続される三つの面を含むように構成してもよい。
【００６３】
また、図７に示すように、加熱発泡材３８を方立１６と枠側コーナー金具４６の間に設けることに加えて、別の加熱発泡材３９を、方立１６の中空部１６ａ内で、方立芯材１６ｅの外側面、すなわち、方立芯材１６ｅと方立１６の第一面１６１及び第２面１６２の内側との間に設けてもよい。
【００６４】
例えば、図７に示すように、方立芯材１６ｅの外側面における室外側に貼付することで、方立１６とコーナー金具４６の間で方立１６の室内側寄りに位置している加熱発泡材３８と、加熱発泡材の位置が室内外方向にずれる。これにより、方立１６の見込面に沿って連続的に加熱発泡材が配置されることとなり、方立１６が溶融した場合の火炎等の貫通の可能性をさらに低減することができる。
【００６５】
また、方立１６の中空部１６ａ内の加熱発泡材３９を、方立芯材１６ｅの見込方向に室外側から室内側まで全体的に設けてもよい。これにより、部分的に方立１６とコーナー金具４６の間の加熱発泡材３８と重なることとなり、さらに方立１６が溶融した場合の火炎等の貫通の可能性をさらに低減することができる。
【００６６】
また、方立１６の中空部１６ａ内の加熱発泡材３９を、方立芯材１６ｅの見込方向における室内側と室外側の両方に分けて配置し、間にネジを留める部分の隙間を開けてもよい。これにより、方立１６が溶融した場合の火炎等の貫通の可能性を低減しつつ、ネジを留める作業を容易にすることができる。
【００６７】
また、上記実施形態で説明した上框３１、下框３２、吊元側縦框３３及び戸先側縦框３４の構成に限られず、框体の構成は適宜変更することができる。例えば、框体（上框、下框、吊元側縦框及び戸先側縦框）の見込方向室内側及び室外側の少なくとも一側にアルミ形材等の金属製のカバー部材を配置する構成としてもよい。樹脂製の框体（上框、下框、吊元側縦框及び戸先側縦框）は、その一部に金属製の部材を含んでいてもよい。なお、樹脂製の枠体も同様に、その一部に金属製の部材を含んでもよい。
【符号の説明】
【００６８】
１    建具
１０  枠体
１１  上枠（横枠）
１２  下枠（横枠）
１３  障子側縦枠（縦枠）
１４  ＦＩＸ側縦枠（縦枠）
１６  方立（縦枠）
１１ｄ  上枠芯材（横芯材）
１２ｄ  下枠芯材（横芯材）
１３ｄ  縦枠芯材（縦芯材）
１４ｄ  縦枠芯材（縦芯材）
１６ｅ  方立芯材（縦芯材）
３８    加熱発泡材
４６    枠側コーナー金具（コーナー金具）
１０１  コーナー部
１６１  第一面
１６２  第二面
Ｓ      隙間
【図１】
2019065560.tif 000003
【図２】
2019065560.tif 000004
【図３】
2019065560.tif 000005
【図４】
2019065560.tif 000006
【図５】
2019065560.tif 000007
【図６】
2019065560.tif 000008
【図７】
2019065560.tif 000009